(57)【特許請求の範囲】
【請求項１】
前部に相手コネクタとの嵌合口を有する樹脂製のアウタハウジングと、該アウタハウジングの内部に装着された金属製の筒状のシールドシェルと、該シールドシェルの内部に装着された樹脂製のインナハウジングと、該インナハウジングの端子収容室内に該インナハウジングの後方から挿入され、前記端子収容室に設けられた可撓性のランスにより抜け止め係止される端子と、前記インナハウジングの前方から該インナハウジングの内部に挿入され、前記ランスが前記端子を抜け止め係止する位置にあるとき、前記ランスの撓み空間内に先端部が進入することで、前記端子が適正位置に挿入されていることを検知すると共に前記ランスの係止解除方向の撓みを防止するフロントホルダと、を有するシールドコネクタにおいて、
前記フロントホルダの挿入方向の後端部が、前記インナハウジングの周壁に設けられた切欠部から外に露出しており、その露出したフロントホルダの後端部が、前記インナハウジングを前記シールドシェルの内部に装着することによって、前記シールドシェルの内周壁により位置規制されていることを特徴とするシールドコネクタ。
【請求項２】
請求項１に記載のシールドコネクタであって、
前記端子収容室が、前記インナハウジングの周壁を構成する上壁と下壁との間に確保され、前記ランスおよび該ランスの撓み空間が、前記インナハウジングの上壁側に設けられ、前記フロントホルダが、前記端子収容室に挿入された端子と前記上壁との間に挿入され、前記上壁に前記フロントホルダの後端部を外に露出させる前記切欠部が設けられていることを特徴とするシールドコネクタ。
【請求項３】
請求項２に記載のシールドコネクタであって、
前記インナハウジングが、前面から見て横長の長方形に形成され、前記端子収容室が、横並びに複数配列され、各端子収容室にそれぞれ前記ランスおよび該ランスの撓み空間が設けられ、前記各端子収容室にそれぞれ前記端子が収容されており、前記フロントホルダが、前記端子の全部に対して共通に設けられていることを特徴とするシールドコネクタ。
【発明の詳細な説明】
【技術分野】
【０００１】
本発明は、電磁シールド機能を備えたシールドコネクタに関するものである。
【背景技術】
【０００２】
前部に相手コネクタとの嵌合口を有する樹脂製のアウタハウジングの内部に金属製の筒状のシールドシェルを装着し、そのシールドシェルの内部に樹脂製のインナハウジングを装着し、そのインナハウジングの内部に端子を収容したシールドコネクタが知られている（例えば、特許文献１参照）。
【０００３】
また、この種のシールドコネクタの中に、端子が適正位置に装着されてランスにより抜け止めされているときに、本係止位置まで挿入できるようになり、本係止位置まで挿入できることによって、端子が適正位置まで挿入されていることを検知すると共に、本係止位置まで挿入されることによって、ランスの係止解除方向の撓みを規制して、端子を二重係止するフロントホルダを具備するタイプのものが知られている。
【０００４】
図４および図５はそのタイプのシールドコネクタの従来例を示す図で、図４（ａ）はシールドコネクタの全体構成を示す外観斜視図、図４（ｂ）は図４（ａ）のＩＶｂ−ＩＶｂ矢視断面図、図５（ａ）はインナハウジングと端子とフロントホルダの組立体の構成を示す外観斜視図、図５（ｂ）は図５（ａ）のＶｂ−Ｖｂ矢視断面図である。
【０００５】
このシールドコネクタは、前部に相手コネクタとの嵌合口１６１を有する樹脂製のアウタハウジング１６０と、該アウタハウジング１６０の内部に装着された金属製の筒状のフロントシールドシェル１２０およびリアシールドシェル１３０と、該シールドシェル１２０、１３０の内部に装着された樹脂製のインナハウジング１４０と、該インナハウジング１４０の端子収容室１４１内に該インナハウジング１４０の後方から挿入され、端子収容室１４１に設けられた可撓性のランス１４６により抜け止め係止された端子１１０と、インナハウジング１４０の前方からインナハウジング１４０の内部に挿入されたフロントホルダ１５０とを有している。
【０００６】
フロントホルダ１５０は、ランス１４６が端子１１０を抜け止め係止する位置にあるとき、ランス１４６の撓み空間１４７内に先端部１５２が進入可能となるもので、撓み空間１４７内に先端部１５２が進入できることによって、端子１１０が適正位置まで挿入されていることを検知すると共に、進入することによって、ランス１４６の係止解除方向の撓みを規制して、端子を二重係止する機能を果たす。
【０００７】
ところで、図４、図５に示した従来のシールドコネクタでは、フロントホルダ１５０の傾きや脱落を防止するために、インナハウジング１４０の周壁の一部を、フロントホルダ１５０の位置を規制するための位置規制壁部１４８として確保していた。
【特許文献１】特開２０００−１００５２２号公報
【発明の開示】
【発明が解決しようとする課題】
【０００８】
しかし、図５（ｂ）に示すように、インナハウジング１４０の周壁に、フロントホルダ１５０の位置規制を行うための位置規制壁部１４８を確保すると、その厚み寸法Ｈ１０分だけ、インナハウジング１４０の高さ寸法Ｈ１１が高くなり、シールドコネクタの低背化に限界を生じるという問題があった。
【０００９】
本発明は、上記事情を考慮し、小型化が可能なシールドコネクタを提供することを目的とする。
【課題を解決するための手段】
【００１０】
請求項１の発明のシールドコネクタは、前部に相手コネクタとの嵌合口を有する樹脂製のアウタハウジングと、該アウタハウジングの内部に装着された金属製の筒状のシールドシェルと、該シールドシェルの内部に装着された樹脂製のインナハウジングと、該インナハウジングの端子収容室内に該インナハウジングの後方から挿入され、前記端子収容室に設けられた可撓性のランスにより抜け止め係止される端子と、前記インナハウジングの前方から該インナハウジングの内部に挿入され、前記ランスが前記端子を抜け止め係止する位置にあるとき、前記ランスの撓み空間内に先端部が進入することで、前記端子が適正位置に挿入されていることを検知すると共に前記ランスの係止解除方向の撓みを防止するフロントホルダと、を有するシールドコネクタにおいて、前記フロントホルダの挿入方向の後端部が、前記インナハウジングの周壁に設けられた切欠部から外に露出しており、その露出したフロントホルダの後端部が、前記インナハウジングを前記シールドシェルの内部に装着することによって、前記シールドシェルの内周壁により位置規制されていることを特徴としている。
【００１１】
請求項２の発明は、請求項１に記載のシールドコネクタであって、前記端子収容室が、前記インナハウジングの周壁を構成する上壁と下壁との間に確保され、前記ランスおよび該ランスの撓み空間が、前記インナハウジングの上壁側に設けられ、前記フロントホルダが、前記端子収容室に挿入された端子と前記上壁との間に挿入され、前記上壁に前記フロントホルダの後端部を外に露出させる前記切欠部が設けられていることを特徴としている。
【００１２】
請求項３の発明は、請求項２に記載のシールドコネクタであって、前記インナハウジングが、前面から見て横長の長方形に形成され、前記端子収容室が、横並びに複数配列され、各端子収容室にそれぞれ前記ランスおよび該ランスの撓み空間が設けられ、前記各端子収容室にそれぞれ前記端子が収容されており、前記フロントホルダが、前記端子の全部に対して共通に設けられていることを特徴としている。
【発明の効果】
【００１３】
請求項１の発明によれば、インナハウジングの周壁によってフロントホルダを位置規制するのではなく、インナハウジングの外側に位置するシールドシェルの周壁によって、インナハウジングの切欠部から露出したフロントホルダの後端部を位置規制するようにしているので、インナハウジングの周壁にフロントホルダの位置規制壁部を確保する必要がなく、その分だけ、インナハウジングの周壁の厚み寸法を削減できる。従って、インナハウジングの厚み寸法の削減により、シールドコネクタの小型化に貢献することができる。
【００１４】
請求項２の発明によれば、インナハウジングの上壁に切欠部を設けて、その切欠部からフロントホルダの後端部を外に露出させ、その露出したフロントホルダの後端部をシールドシェルで位置規制するようにしているので、インナハウジングにフロントホルダの位置規制壁部を確保しないですむ分だけ、インナハウジングの低背化を図ることができる。
【００１５】
請求項３の発明によれば、横並びに配列された複数の端子に対して、共通の１個のフロントホルダを装着するようにしたので、多極シールドコネクタの薄型化を図ることができる。
【発明を実施するための最良の形態】
【００１６】
以下、本発明の実施形態を図面を参照しながら説明する。
【００１７】
図１は実施形態のシールドコネクタの全体構成を示す図で、図１（ａ）は外観斜視図、図１（ｂ）は図１（ａ）のＩｂ−Ｉｂ矢視断面図、図２はインナハウジングと端子とフロントホルダの組立体の構成を示す図で、図２（ａ）は外観斜視図、図２（ｂ）は図２（ａ）のＩＩｂ−ＩＩｂ矢視断面図、図３は図２の組立体をフロントシールドシェルの内部に装着した状態を示す図で、図３（ａ）は外観斜視図、図３（ｂ）は図３（ａ）のＩＩＩｂ−ＩＩＩｂ矢視断面図である。
【００１８】
このシールドコネクタは、前部に相手コネクタとの嵌合口６１を有する正面視長方形の樹脂製のアウタハウジング６０と、該アウタハウジング６０の内部に装着された金属製の角筒状のフロントシールドシェル２０およびリアシールドシェル３０と、これらシールドシェル２０、３０の内部に装着された樹脂製のインナハウジング４０と、該インナハウジング４０の端子収容室４１内に該インナハウジング４０の後方から挿入され、端子収容室４１に設けられた可撓性のランス４６の先端が後側段部１２に係合することにより抜け止め係止されたオス型の端子１０と、インナハウジング４０の前方からインナハウジング４０の内部に挿入されたフロントホルダ５０とを有している。
【００１９】
インナハウジング４０は、前面から見て横長の長方形に形成され、端子収容室４１が、横並びに複数配列され、各端子収容室にそれぞれ端子１０が収容されている。端子収容室４１は、インナハウジング４０の周壁を構成する上壁４０ａと下壁４０ｂとの間に確保されており、ランス４６およびランスの撓み空間４７が、インナハウジング４０の上壁４０ａ側に設けられている。そして、フロントホルダ５０は、端子収容室４１に挿入された端子１０とインナハウジング４０の上壁４０ａとの間に挿入されている。
【００２０】
また、端子収容室４１の前壁４２には、端子１０のピン１１を突き通すためのピン通し孔４３が設けられ、インナハウジング４０の前壁４２の上部と上壁４０ａの前部には、フロントホルダ５０をインナハウジング４０に挿入した際に、フロントホルダ５０の後端部５１を外に露出させる切欠４４、４５が設けられている。また、フロントシールドシェル２０には、該フロントシールドシェル２０の内部にインナハウジング４０を装着したときに、インナハウジング４０の上壁４０ａと下壁４０ｂに密接する上壁２１と下壁２２が設けられている。
【００２１】
フロントホルダ５０は、全部の端子１０に対して共通に設けられており、全部のランス４６が端子１０を抜け止め係止する位置にあるときに、仮係止位置から本係止位置まで移動可能となって、ランス４６の撓み空間４７内に先端部５２を進入させることができるようになるものである。そして、撓み空間４７内に先端部５２が進入できることによって、全部の端子１０が適正位置まで挿入されていることを検知し、また、ランス４６の撓み空間４７内に先端部５２が進入することによって、ランス４６の係止解除方向の撓みを規制して、全部の端子１０を二重係止する機能を果たす。
【００２２】
また、フロントホルダ５０の挿入方向の後端部５１が、インナハウジング４０の上壁４０ａに設けられた切欠部４５から外に露出しており、その露出したフロントホルダ５０の後端部５１が、インナハウジング４０をフロントシールドシェル２０の内部に装着することによって、フロントシールドシェル２０の内周壁により位置規制されている。また、フロントホルダ５０の後端部５１の内面５３が、端子１０に当たることことによって、端子１０の前半部を位置規制している。
【００２３】
このシールドコネクタを組み立てる場合は、まず、各オス型の端子１０の後端部に電線を接続し、その端子１０を、フロントホルダ５０が予め仮係止状態で装着されたインナハウジング４０の各端子収容室４１に挿入する。全ての端子１０を適正位置まで挿入すると、各ランス４６が端子１０をそれぞれ抜け止め係止し、ランスの撓み空間４７に対してフロントホルダ５０の先端部５２を進入させることができるようになる。
【００２４】
この際、いずれかの端子１０が中途挿入の状態にあると、該当するランス４６が撓み空間４７内に突出した状態になるので、フロントホルダ５０の先端部５２を撓み空間４７内に進入させることができなくなり、フロントホルダ５０を仮係止位置から本係止位置まで移動させることができなくなる。従って、そのことにより、端子１０の中途挿入を検知することができる。また、スムーズにフロントホルダ５０を本係止位置まで移動できる場合は、全ての端子１０が適正位置に挿入されていると検知することができる。
【００２５】
図２に示すように、フロントホルダ５０を本係止位置まで挿入したら、フロントホルダ５０や端子１０を組み込んだインナハウジング４０を、図３に示すようにフロントシールドシェル２０の内部に装着し、その後部にリアシールドシェル３０を装着する。そして、それらをアウタハウジング６０の内部に装着することで、シールドコネクタの組み立てを完了する。
【００２６】
このように組み立てた際に、インナハウジング４０の周壁によってフロントホルダ５０を位置規制するのではなく、インナハウジング４０の外側に位置するフロントシールドシェル２０の周壁（特に、上壁２１）によって、インナハウジング４０の切欠部４５から露出したフロントホルダ５０の後端部５１を位置規制することができる。従って、従来のようにインナハウジング４０の周壁にフロントホルダ５０の位置規制壁部を確保する必要がなくなる分だけ、インナハウジング４０の周壁の厚み寸法を削減でき、それにより、インナハウジング４０の高さＨ１を低くすることができ、シールドシェル２０、３０に組み込んだ段階での高さＨ２を低くすることができる。従って、シールドコネクタの小型化、特に低背化に貢献することができる。この場合、横並びに複数の端子が配列された多極タイプのシールドコネクタであるので、コネクタの薄型化を図ることができる。
【図面の簡単な説明】
【００２７】
【図１】本発明の実施形態のシールドコネクタの全体構成を示す図で、（ａ）は外観斜視図、（ｂ）は（ａ）のＩｂ−Ｉｂ矢視断面図である。
【図２】同シールドコネクタにおけるインナハウジングと端子とフロントホルダの組立体の構成を示す図で、（ａ）は外観斜視図、（ｂ）は（ａ）のＩＩｂ−ＩＩｂ矢視断面図である。
【図３】図２の組立体をフロントシールドシェルの内部に装着した状態を示す図で、（ａ）は外観斜視図、（ｂ）は（ａ）のＩＩＩｂ−ＩＩＩｂ矢視断面図である。
【図４】従来例を示す図で、（ａ）はシールドコネクタの全体構成を示す外観斜視図、（ｂ）は（ａ）のＩＶｂ−ＩＶｂ矢視断面図である。
【図５】同シールドコネクタにおけるインナハウジングと端子とフロントホルダの組立体の構成を示す図で、（ａ）は外観斜視図、（ｂ）は（ａ）のＶｂ−Ｖｂ矢視断面図である。
【符号の説明】
【００２８】
１０  端子
２０  フロントシールドシェル
３０  リアシールドシェル
４０  インナハウジング
４０ａ  上壁
４０ｂ  下壁
４１  端子収容室
４５  切欠部
４６  ランス
４７  ランスの撓み空間
５０  フロントホルダ
５１  後端部
５２  先端部
６０  アウタハウジング
６１  嵌合口
【図１】
0005017159.tif 000002
【図２】
0005017159.tif 000003
【図３】
0005017159.tif 000004
【図４】
0005017159.tif 000005
【図５】
0005017159.tif 000006